(57)【要約】  デバイス（１００）のユーザインタフェース（１２０）と、例えば、デバイス（１００）を介してレンダリングされる対象のオーディオ／ビデオ信号との間の依存性を導入する装置（１）には、信号の伝達パラメータの値及びユーザインタフェース（１２０）の品質パラメータの値を結びつけるための回路（２、３，４）を設けてユーザ・フレンドリ度を高める。オーディオ／ビデオ信号の特定の第１の（第２の）伝達はユーザインタフェース（１２０）の第１の（第２の）品質をもたらし、ユーザインタフェース（１２０）の選ばれた第１の（第２の）品質はオーディオ／ビデオ信号の第１の（第２の）伝達をもたらす。品質は、ユーザインタフェース（１２０）の「スキン」あるいは「ルックアンドフィール」あるいは入力特性あるいは出力特性の品質であり得る。伝達は、帯域幅、分解能、色又はグレイ値の数、サンプル・レート、周波数特性及びコストで表すことができる。品質は、帯域幅、分解能、色又はグレイ値の数、サンプル・レート、周波数特性及び処理容量で表すことができる。
2010512593.tif 000002
【特許請求の範囲】
【請求項１】
デバイスのユーザインタフェースと、前記デバイスによって処理される対象の信号との間の依存性を導入する装置であって、前記信号の伝達パラメータの値、及び前記ユーザインタフェースの品質パラメータの値を結び付ける回路を備える装置。
【請求項２】
請求項１記載の装置であって、前記回路は、前記信号の伝達パラメータの値、及び前記ユーザインタフェースの品質パラメータの値のうちの一方を検出する検出器を備え、検出結果に応じて、前記信号の伝達パラメータの値、及び前記ユーザインタフェースの品質パラメータの値のうちの他方を生成する生成器を備える装置。
【請求項３】
請求項１記載の装置であって、前記回路は、前記信号の前記伝達パラメータの値を前記ユーザインタフェースの前記品質パラメータの値に変換する変換器を備える装置。
【請求項４】
請求項１記載の装置であって、前記ユーザインタフェースの前記品質パラメータの値を受け取るポートを更に備え、前記回路は、前記ユーザインタフェースの前記品質パラメータの値を前記信号の前記伝達パラメータの値に変換する変換器を備える装置。
【請求項５】
請求項１記載の装置であって、前記信号の前記伝達パラメータが、前記信号の帯域幅、前記信号の分解能、前記信号内の色の数、前記信号内のグレイ値の数、前記信号のサンプル・レート、前記信号の周波数特性、及び前記信号のコスト・パラメータのうちの少なくとも１つを含み、前記ユーザインタフェースの前記品質パラメータは、前記ユーザインタフェースのユーザインタフェース信号の帯域幅、前記ユーザインタフェース信号の分解能、前記ユーザインタフェース信号内の色の数、前記ユーザインタフェース信号内のグレイ値の数、前記ユーザインタフェース信号のサンプル・レート、前記ユーザインタフェース信号の周波数特性、及び前記ユーザインタフェースに利用可能な処理容量のうちの少なくとも１つを含む装置。
【請求項６】
請求項１記載の装置を備えるデバイス。
【請求項７】
デバイスのユーザインタフェースと、前記デバイスによって処理される対象の信号との間の依存性を導入する方法であって、前記信号の伝達パラメータの値、及び前記ユーザインタフェースの品質パラメータの値を結び付ける工程を含む方法。
【請求項８】
請求項７記載の方法の工程を行うコンピュータ・プログラム・プロダクト。
【請求項９】
請求項８記載のコンピュータ・プログラム・プロダクトを記憶し、前記コンピュータ・プログラム・プロダクトを有する媒体。
【発明の詳細な説明】
【技術分野】
【０００１】
本発明は、デバイスのユーザインタフェースと、デバイスによって処理される対象の信号との間の依存性を導入する装置、装置を含むデバイス、装置を含む更なるデバイス、方法、並びに、コンピュータ・プログラム・プロダクト及び媒体に関する。
【０００２】
前述の装置の例には、消費者向製品及び非消費者向製品があり、前述のデバイスの例には、オーディオ／ビデオ信号をレンダリングする消費者向製品があり、前述の更なるデバイスの例には、オーディオ／ビデオ信号をレンダリングするデバイスにオーディオ／ビデオ信号を供給するネットワーク・デバイスがあり、前述の信号の例には、オーディオ／ビデオ信号がある。オーディオ／ビデオ信号は、オーディオ及び／又はビデオを備えた信号である。
【背景技術】
【０００３】
米国特許出願公開第２００２／００５４０８６号明細書には、その発明の名称として、グラフィカル・ユーザ・インタフェースを適合させる方法及び装置を開示しており、その段落０００６には、ユーザ要求から発生したものでないイベントに応じて、現在施されているスキンを変更して、より魅力的な装置を生成するスキン手段を開示しており、その段落００１０には、視聴者などのユーザの気分に影響を及ぼすようオーディオ／ビデオ信号のコンテンツに応じてグラフィカル・ユーザ・インタフェースを適合させるスキン手段を開示している。
【発明の概要】
【発明が解決しようとする課題】
【０００４】
本発明の目的は、とりわけ、デバイスのユーザ・フレンドリ度を高めるための前述の装置を提供することである。
【課題を解決するための手段】
【０００５】
本発明の第１の局面は、デバイスのユーザインタフェースと、デバイスによって処理される対象の信号との間の依存性を導入する装置を提供する。この装置は、信号の伝達パラメータの値、及びユーザインタフェースの品質パラメータの値を結び付ける回路を備える。
【０００６】
オーディオ／ビデオ信号の伝達パラメータの値（又は値群）及びユーザインタフェースの品質パラメータの値（又は値群）を結び付けるための、メモリなどの回路を装置に設けることにより、オーディオ／ビデオ信号の伝達特性とユーザインタフェースの品質特性との間の結び付けが行われる。オーディオ／ビデオ信号の第１（第２、第３、第４等）の伝達特性はユーザインタフェースの第１（第２、第３、第４等）の品質特性の選択をもたらし得、ユーザインタフェースの第１（第２，第３、第４）の品質特性はオーディオ／ビデオ信号の第１（第２、第３、第４等）の伝達特性の選択をもたらし得る。前述の回路を備えたデバイスのユーザ・フレンドリ度は高まっている。前述のデバイスとユーザとの間の相互作用の複雑度は削減されている。
【０００７】
装置はデバイスの一部を形成し得、その場合、デバイスは、オーディオ／ビデオ信号を、デバイス内に配置された内部記憶媒体から、又はデバイス外に配置された外部記憶媒体から取り出し得る。デバイスのユーザインタフェースは、オーディオ／ビデオ信号をレンダリングするために、又は、あるいは、更なるユーザインタフェースをレンダリングに使用することができる。よって、オーディオ／ビデオ信号は、デバイスによってレンダリングされる。あるいは、装置は、ネットワークにある更なるデバイスの一部を構成し得、その場合、デバイスは、デバイス内に配置された内部記憶媒体から、又はデバイス外に配置され、例えば、更なるデバイス内又は更なるデバイス近くに配置された外部記憶媒体からオーディオ／ビデオ信号を取り出し得る。第１（第２、第３等）の特性には例えば、良好な特性（平均的な特性、劣悪な特性等）がある。ユーザインタフェースの品質特性には、例えば、ユーザインタフェースの「スキン」及びユーザインタフェースの「ルックアンドフィール」、及び／あるいは、ユーザインタフェースの入力特性、及び／あるいは、ユーザインタフェースの出力特性の品質がある。
【０００８】
請求項２記載の実施例によれば、回路には、値のうちの一方の値（又は一方の値群）を検出する検出器、及び値のうちの他方の値（又は他方の値群）を、検出結果を応じて生成する生成器が設けられる。オーディオ／ビデオ信号の第１（第２、第３等）の伝達特性の検出はユーザインタフェースの第１（第２、第３等）の品質特性の生成をもたらし得、ユーザインタフェースの第１（第２，第３等）の品質特性はオーディオ／ビデオ信号の第１（第２、第３等）の伝達特性の生成をもたらし得る。
【０００９】
請求項３記載の実施例によれば、回路には、信号の伝達パラメータの値（又は値群）をユーザインタフェースの品質パラメータの値（又は値群）に変換する変換器が設けられる。この場合、デバイスのユーザには、オーディオ／ビデオ信号の伝達（の品質）についてデバイスのユーザインタフェースの品質を介して自動的に通知される。
【００１０】
請求項４記載の実施例によれば、例えば、デバイスのユーザは、ユーザインタフェースの品質を選択する旨をデバイスに命令し、回路には、命令に応じて、信号の伝達パラメータの値（又は値群）にユーザインタフェースの品質パラメータの値（又は値群）を変換する変換器が設けられる。この場合、デバイスのユーザは、ユーザインタフェースの品質を適合させることにより、オーディオ／ビデオ信号の伝達（の品質）を適合させる。
【００１１】
請求項５記載の実施例によれば、オーディオ／ビデオ信号の伝達パラメータは、オーディオ／ビデオ信号の帯域幅、分解能、色の数、グレイ値の数、サンプル・レート、周波数特性、及び／又はコスト・パラメータに対応し、ユーザインタフェースの品質パラメータは、ユーザインタフェースに利用可能な処理容量、並びに／又はユーザインタフェースのユーザインタフェース信号の帯域幅、分解能、色の数、グレイ値の数、サンプル・レート、及び／若しくは周波数特性に対応する。よって、例えば、ユーザインタフェース信号における色の数が比較的少ないことにより、オーディオ／ビデオ信号が比較的低品質であり、かつ／又は、オーディオ／ビデオ信号が比較的低コストであり、例えば、ユーザによる、ユーザインタフェースの比較的高い処理容量の選択は、オーディオ／ビデオ信号が比較的高品質及び／又は比較的高コストで転送されることをもたらす旨がユーザに伝えられる。
【００１２】
伝達パラメータの１つ若しくは複数の値及び／又は品質パラメータの１つ若しくは複数の値は、装置により、かつ／あるいはデバイスにより、かつ／あるいはデバイスのユーザにより、かつ／あるいは更なるデバイスにより、かつ／あるいは更なるデバイスの操作者により、かつ、装置の場所と無関係に設定することができる。
【００１３】
本発明の第２の局面は請求項６記載のデバイスを提供する。本発明の第３の局面は、デバイス（１００）のユーザインタフェース（１２０）と、デバイス（１００）によって処理される対象の信号との間の依存性を導入する方法を提供し、この方法は、信号の伝達パラメータの値と、ユーザインタフェース（１２０）の品質パラメータの値とを結びつける工程を含む。
【００１４】
本発明の第４の局面は請求項８記載のコンピュータ・プログラム・プロダクトを提供する。本発明の第５の局面は請求項９記載の媒体を提供する。
【００１５】
デバイス、更なるデバイス、方法、コンピュータ・プログラム・プロダクト、及び媒体の実施例は装置の実施例に対応する。
【００１６】
一洞察として、デバイスのユーザインタフェースと、デバイスによって処理される信号との間の依存性が、デバイスのユーザ・フレンドリ度を高めるために使用されるということがあり得る。基本的な考え方として、ユーザインタフェースの品質パラメータの値、及び信号の伝達パラメータの値を結び付けるべきであるということがあり得る。
【００１７】
デバイスのユーザ・フレンドリ度を高める装置を提供するための問題が解決される。装置の更なる利点には、信号の伝達とユーザインタフェースの品質との間の結びつきを両方の方向において使用することができるということがあり得る。
【図面の簡単な説明】
【００１８】
【図１】本発明による装置の第１の実施例を含む、本発明によるデバイスを示す概略構成図である。
【図２】本発明による装置の第２の実施例を含む、本発明によるデバイスを示す概略構成図である。
【図３】本発明による装置の第３の実施例を含む、本発明によるデバイスを示す概略構成図である。
【図４】本発明による装置を含む、デバイス、１つ又は複数のネットワーク、及び更なるデバイスを含むシステムを示す概略構成図である。
【発明を実施するための形態】
【００１９】
本発明の前述及び他の局面は、後述する実施例を参照すると、明らかであり、明らかにされるであろう。
【実施例】
【００２０】
図１に示す本発明によるデバイス１００は、全て、矢印１１１で表し、第１のユーザインタフェース１１０の一部を構成し、かつ／又は第１のユーザインタフェース１１０に結合された、１つ若しくは複数のディスプレイ、及び／又は、１つ若しくは複数のスピーカを介してオーディオ／ビデオ信号をレンダリングする第１のユーザインタフェース１１０を備える。デバイス１００は、全て、矢印１２１で表し、第２のユーザインタフェース１２０の一部を構成し、かつ／又は第２のユーザインタフェース１２０に結合されたタッチ画面、及び／又はキーボード、マウス、マイクロフォンを介してユーザから入力情報を受け取るための第２のユーザインタフェース１２０を更に備える。第２のユーザインタフェース１２０は、全て、矢印１２２で表し、第２のユーザインタフェース１２０の一部を構成し、かつ／又は第２のユーザインタフェース１２０に結合された１つ若しくは複数のディスプレイ及び／又は１つ若しくは複数のスピーカを介してユーザに出力情報を更に供給する。オーディオ／ビデオ信号をレンダリングし、入力情報を受け取り、出力情報を供給するために２つ以上の別々のユーザインタフェース１１０、１２０を使用する代わりに、一ユーザインタフェースを前述の目的で使用することができる。
【００２１】
デバイス１００は、オーディオ／ビデオ信号を記憶する記憶媒体１３０を更に備え、記憶媒体１３０は、オーディオ／ビデオ信号を第１のユーザインタフェース１１０に供給する結合１５０を介して第１のユーザインタフェース１１０に結合される。デバイス１００は、ネットワークからオーディオ／ビデオ信号を受信するために結合１５８を介してネットワークに結合される対象のネットワーク・インタフェース１４０を更に備える。結合１５７を介して、ネットワーク・インタフェース１４０は、記憶媒体１３０に結合されて、オーディオ／ビデオ信号を第１のユーザインタフェース１１０に記憶媒体１３０を介して供給する。あるいは、ネットワーク・インタフェース１４０は、結合１５０を介して、又は別の結合（図示せず）を介して第１のユーザインタフェース１１０に直結させることができる。よって、第１のユーザインタフェース１１０を介してレンダリングされる対象のオーディオ／ビデオ信号は、記憶媒体１３０から、又は、場合によっては記憶媒体１３０を介してネットワーク・インタフェース１４０に結合されたネットワークから取り出すことができる。
【００２２】
デバイス１００は、回路２を備える、本発明による装置１を更に備える。この回路２は、結合２３を介してコントローラ２２に結合されたメモリ２１を備える。コントローラ２２は、結合１５１を介して第２のユーザインタフェース１２０に結合された第２のユーザインタフェース出力、及び結合１５２を介して第２のユーザインタフェース１２０に結合された第２のユーザインタフェース入力を備える。コントローラ２２は、結合１５３を介して記憶媒体１３０に結合された記憶媒体入力、及び結合１５４を介して記憶媒体１３０に結合された記憶媒体出力を備える。コントローラ２２は、結合１５５を介してネットワークインタフェース１４０に結合されたネットワークインタフェース入力、及び結合１５６を介してネットワークインタフェース１４０に結合されたネットワークインタフェース出力を備える。
【００２３】
装置１は、デバイス１００を介してレンダリングされる対象のオーディオ／ビデオ信号、及び第２のユーザインタフェース１２０間の依存性を導入する。依存性は、オーディオ／ビデオ信号の伝達パラメータの値と第２のユーザインタフェース１２０の品質パラメータの値とのリンクを含む。それに対し、回路２には、リンクさせるためにメモリ２１が設けられる。例えば、コントローラ２２は、記憶媒体１３０又はネットワーク・インタフェース１４０からオーディオ／ビデオ信号の伝達パラメータの値を受け取り、この値をメモリ２１に供給する。これに応じて、メモリ２１は第２のユーザインタフェース１２０の品質パラメータの値をコントローラ２２に供給する。コントローラ２２はこの値を第２のユーザインタフェース１２０に供給する。あるいは、及び／又は更に、コントローラ２２は例えば、第２のユーザインタフェース１２０の品質パラメータの値をこの第２のユーザインタフェース１２０から受け取り、この値をメモリ２１に供給する。これに応じて、メモリ２１はオーディオ／ビデオ信号の伝達パラメータの値をコントローラ２２に供給し、コントローラ２２はこの値を記憶媒体１３０又はネットワーク・インタフェース１４０に供給する。
【００２４】
その結果、オーディオ／ビデオ信号の第１（第２、第３、第４等）の伝達パラメータ値は第２のユーザインタフェース１２０の第１（第２、第３、第４等）の品質パラメータ値の選択をもたらし得、第２のユーザインタフェース１２０からの第１（第２、第３、第４等）の品質パラメータ値は、オーディオ／ビデオ信号の第１（第２、第３、第４等）の伝達パラメータ値の選択をもたらし得る。ユーザインタフェースの品質特性は、例えば、ユーザインタフェースの「スキン」（の一部）及びユーザインタフェースの「ルックアンドフィール」、及び／あるいは、ユーザインタフェースの入力特性、及び／あるいは、ユーザインタフェースの出力特性の品質を規定する。
【００２５】
オーディオ／ビデオ信号の伝達パラメータは例えば、更なる選択肢を排除することなく、オーディオ／ビデオ信号の帯域幅、分解能、色の数、グレイ値の数、サンプル・レート、周波数特性、並びに／又は、コスト・パラメータに対応する。第２のユーザインタフェース１２０の品質パラメータは例えば、更なる選択肢を排除することなく、ユーザインタフェースに利用可能な処理容量、並びに／又は、ユーザインタフェースのユーザインタフェース信号の帯域幅、分解能、色の数、グレイ値の数、サンプル・レート、及び／若しくは周波数特性に対応する。よって、例えば、ユーザインタフェース信号の分解能が比較的低いことにより、オーディオ／ビデオ信号が、比較的低い品質のものである（例えば、比較的低い帯域幅、又は、比較的低い分解能等を有する）旨、及び／又は、オーディオ／ビデオ信号が比較的低コストである（比較的低コストのネットワークを介して供給され、かつ／又は、比較的低コストでプロバイダによって供給される）旨がユーザに伝えられる。例えば、第２のユーザインタフェース１２０の比較的高い分解能のユーザによる選択により、オーディオ／ビデオ信号が比較的高い品質で転送される（例えば、比較的高い帯域幅を有するか、又は比較的高い分解能等を有すること等による）こと、及び／又は、比較的高コストで転送される（比較的高いコストのネットワークを介して供給され、かつ／又は、比較的高いコストのプロバイダによって供給される等）ことがもたらされる。
【００２６】
記憶媒体１３０及びネットワーク・インタフェース１４０に、伝達パラメータ値をコントローラ２２に供給するための別個の出力を設ける代わりに、コントローラ２２は前述の値を結合１５０、１５７、及び１５８から、又は結合１５０、１５７及び１５８を介して取り出すことができる。コントローラ２２から伝達パラメータ値を受け取るための別個の入力を記憶媒体１３０及びネットワーク・インタフェース１４０に設ける代わりに、別個の装置を、前述の伝達パラメータ値をコントローラ２２から受け取り、それに応じて、例えば、結合１５０、１５７又は１５８を介して、オーディオ／ビデオ信号の伝達を調節するために導入することができる。コントローラ２２によってネットワーク・インタフェース１４０に供給される伝達パラメータ値は、プロバイダにおいて、かつ／又はネットワークを介してオーディオ／ビデオ信号の伝達を調節するためにネットワークに結合１５８を介して転送することができる。
【００２７】
図２に示す本発明によるデバイス１００は、装置１が、結合１５３に結合された第１の検出器３１と、結合１５５に結合された第２の結合器３２と、結合１５２に結合された第３の検出器３３と、結合１５４に結合され、結合３８を介して第３の検出器３３に更に結合された第１の生成器３４と、結合１５６に結合され、結合３８を介して第３の検出器３３に更に結合された第２の生成器３５と、結合１５１に結合され、結合３７を介して第１の検出器３１及び第２の検出器３２に更に結合された第３の生成器３６とを備えた回路３を備えているという点で、図１に示すものと異なる。
【００２８】
検出器３１又は３２はオーディオ／ビデオ信号の伝達パラメータの値を検出し、検出器３３は第２のユーザインタフェース１２０の品質パラメータの値を検出する。生成器３４又は３５は、検出器３３からの検出結果に応じてオーディオ／ビデオ信号の伝達パラメータの値を生成し、生成器３６は、第２のユーザインタフェース１２０の品質パラメータの値を検出器３１又は３２からの検出結果に応じて生成する。よって、オーディオ／ビデオ信号の第１（第２、第３等）の伝達パラメータ値の検出はユーザインタフェースの第１（第２、第３等）の品質パラメータ値の生成をもたらし得、第２のユーザインタフェース１２０の第１（第２、第３等）の品質パラメータ値の検出はオーディオ／ビデオ信号の第１（第２、第３等）の伝達パラメータの生成をもたらし得る。
【００２９】
やはり、記憶媒体１３０及びネットワーク・インタフェース１４０に、伝達パラメータ値を検出器３１及び３２に供給するための別個の出力を設ける代わりに、検出器３１及び３２は前述の値を結合１５０、１５７、及び１５８から、又は結合１５０、１５７及び１５８を介して取り出すことができる。記憶媒体１３０及びネットワーク・インタフェース１４０に、生成器３４及び３５から伝達パラメータ値を受け取るための別個の入力を設ける代わりに、別個の装置を、前述の伝達パラメータ値を生成器３４及び３５から受け取り、それに応じて、例えば、結合１５０、１５７又は１５８を介して、オーディオ／ビデオ信号の伝達を調節するために導入することができる。生成器３５によってネットワーク・インタフェース１４０に供給される伝達パラメータ値は、プロバイダにおいて、かつ／又はネットワークを介してオーディオ／ビデオ信号の伝達を調節するためにネットワークに結合１５８を介して転送することができる。
【００３０】
図３に示す本発明によるデバイス１００は、装置１が、結合１５３及び１５５に結合された入力を備え、結合１５１に結合された出力を備える第１の変換器４１と、結合１５２に結合された入力を備える選択器４２と、選択器４２の出力に結合された入力並びに結合１５４及び１５６に結合された出力を備えた第２の変換器４３とを備えた回路４を備えているという点で、図１及び図２に示すものと異なる。
【００３１】
第１の変換器４１はオーディオ／ビデオ信号の伝達パラメータの値を例えば、第２のユーザインタフェース１２０の品質パラメータの値に変換して、オーディオ／ビデオ信号の伝達（の品質）について第２のユーザインタフェース１２０の品質により、デバイス１００のユーザに自動的に通知する。
【００３２】
選択器４２は、ユーザから情報を受け取るための装置１の入力であるとみなし得る結合１５２を介してユーザから情報を受け取る。選択器４２は、情報の受け取りに応じて、第２のユーザインタフェース１２０の品質パラメータの値を選択する。第２のユーザインタフェース１２０の品質パラメータの値にこの情報が既に等しい場合、選択は、第２のユーザインタフェース１２０の品質パラメータのこの値の転送を含むに過ぎない。したがって、選択器４２の出力を、第２のユーザインタフェース１２０の品質パラメータの値を受け取るためのポートであるとみなし得るか、又は、結合１５２は、第２のユーザインタフェース１２０の品質パラメータの値を受け取るためのポートであるとみなし得る。第２の変換器４３は第２のユーザインタフェース１２０の品質パラメータのこの値を、オーディオ／ビデオ信号の伝達パラメータの値に変換して、例えば、デバイス１００のユーザが、第２のユーザインタフェース１２０の品質を適合させることにより、オーディオ／ビデオ信号の伝達（の品質）を適合させることを可能にする。
【００３３】
やはり、記憶媒体１３０及びネットワーク・インタフェース１４０に、伝達パラメータ値を第１の変換器４１に供給するための別個の出力を設ける代わりに、第１の変換器４１は前述の値を結合１５０、１５７及び１５８から、又は結合１５０、１５７及び１５８を介して取り出すことができる。記憶媒体１３０及びネットワーク・インタフェース１４０に、第２の変換器４３からの伝達パラメータ値を受け取るための別個の入力を設ける代わりに、別個の装置を、前述の伝達パラメータ値を第２の変換器４３から受け取り、それに応じて、オーディオ／ビデオ信号の伝達を例えば、結合１５０、１５７又は１５８を介して調節するために導入することができる。第２の変換器４３によってネットワーク・インタフェース１４０に供給される伝達パラメータ値は、プロバイダにおける、かつ／又はネットワークを介したオーディオ／ビデオ信号の伝達を調節するためにネットワークに結合１５８を介して転送することができる。あるいは、選択器４２は、第２のユーザインタフェース１２０の一部を構成することができる。
【００３４】
図１乃至３について、メモリ２１又はその一部は、検出器３１乃至３３、生成器３４乃至３６、及び変換器４１、４３のうちの１つ又は複数内に配置され得、かつ／又は、メモリ２１又はその一部を、回路３、４のうちの１つ又は複数に追加し、検出器３１乃至３３、生成器３４乃至３６、及び変換器４１、４３のうちの１つ又は複数に結合し得る。更に、検出器３１乃至３３及び生成器３４乃至３６のうちの１つ又は複数を回路１、３のうちの１つ又は複数に追加することができる。変換器４１、４３及び選択器４２のうちの１つ又は複数を回路１、２のうちの１つ又は複数に追加することができる。検出器３１乃至３３、生成器３４乃至３６、変換器４１、４３、及び選択器４２のうちの１つ又は複数は、コントローラ２２内に配置し得、かつ／又は、コントローラ２２によって実現し得る。
【００３５】
図４に示すシステム５００は、全てを矢印１６１で表し、ユーザインタフェース１６０の一部を構成し、かつ／又はユーザインタフェース１６０に結合される１つ若しくは複数のスピーカ及び／又は１つ若しくは複数のディスプレイを介してオーディオ／ビデオ信号をレンダリングし、全てを矢印１６２で表し、ユーザインタフェース１６０の一部を構成し、かつ／又はユーザインタフェース１６０に結合されるキーボード、マウス、マイクロフォン及び／又はタッチ画面を介してユーザから入力情報を受信するユーザインタフェース１６０を備えるデバイス１００を備える。ユーザインタフェース１６０は、全て、矢印１６１で表し、ユーザインタフェース１６０の一部を構成し、かつ／又は、ユーザインタフェース１６０に結合された１つ若しくは複数のスピーカ及び／又は１つ若しくは複数のディスプレイを介して出力情報をユーザに更に供給する。
【００３６】
デバイス１００は、ユーザインタフェース１６０に結合されたプロセッサ／メモリ１７０を更に備える。デバイス１００は、プロセッサ／メモリ１７０に結合され、第１の有線及び／又は無線ネットワーク３００に結合されたネットワーク・インタフェース１８０を更に備える。第１の有線及び／又は無線ネットワーク３００は、更なるデバイス２００に結合された第２の有線及び／又は無線ネットワーク４００に結合される。
【００３７】
更なるデバイス２００は、本発明による装置１及び第２のネットワーク４００に結合されたネットワーク・インタフェース２１０を備える。装置１は、プロセッサ／メモリ２２０に更に結合される。
【００３８】
第１の代替策によれば、更なるデバイス２００はデバイス１００のユーザにオーディオ／ビデオ信号を供給するプロバイダに属する。この場合、前述のプロバイダは、第２のユーザインタフェース１２０の品質パラメータの値と、オーディオ／ビデオ信号の伝達パラメータの値との間のリンクを提供することにより、更なるサービスを提供する。伝達パラメータの値に応じて品質パラメータの値を供給する（比較的低コストの映画には比較的低品質の環境が付随し、比較的高分解能の映画には比較的高品質の環境が付随する）場合、所定の品質で、第２のユーザインタフェース１２０の、例えば、「スキン」若しくは「ルックアンドフィール」又は入力特性若しくは出力特性を規定するコードが更なるデバイス２００からデバイス１００に供給されるか、又は、例えば、所定の品質で、第２のユーザインタフェース１２０の入力特性全体あるいは出力特性全体あるいは「スキン」全体あるいは「ルックアンドフィール」全体あるいは入力特性全体あるいは出力特性全体が更なるデバイス２００からデバイス１００に供給される。品質パラメータの値に応じて伝達パラメータの値を規定（し、比較的低品質環境を比較的低コストの映画に使用し、比較的高品質環境を比較的高分解能映画に使用）する場合、品質パラメータのこの値が、更なるデバイス２００に供給される。
【００３９】
第２の代替策によれば、更なるデバイス２００は、オーディオ／ビデオ信号の伝達パラメータの値と、第２のユーザインタフェース１２０の品質パラメータの値との間のリンクを提供することにより、サービスを提供するプロバイダに属し、第１のネットワーク３００若しくは第２のネットワーク４００の一部を構成し、かつ／又は第１のネットワーク３００若しくは第２のネットワーク４００に結合された別のプロバイダはデバイス１００のユーザにオーディオ／ビデオ信号を供給する役割を果たすか、又はオーディオ／ビデオ信号はデバイス１００に既に記憶されている。伝達パラメータの値に応じて品質パラメータの値を供給する（比較的低コストの楽曲には比較的低品質の環境が付随し、比較的大きい帯域幅を備えた楽曲には比較的高品質の環境が付随する）場合、更なるデバイス２００は伝達パラメータのこの値を受け取らなければならず、例に過ぎないが、所定の品質で、第２のユーザインタフェース１２０の「スキン」あるいは「ルックアンドフィール」あるいは入力特性あるいは出力特性を規定するコードが更なるデバイス２００からデバイス１００に供給されるか、又は例えば、所定の品質で、第２のユーザインタフェース１２０の全体の「スキン」あるいは全体の「ルックアンドフィール」あるいは全体の入力特性あるいは全体の出力特性が更なるデバイス２００からデバイス１００に供給される。
【００４０】
品質パラメータの値に応じて伝達パラメータの値を規定する（比較的低品質の環境を比較的低コストの楽曲に使用し、比較的高品質の環境を比較的大きい帯域幅の楽曲に使用する）場合、品質パラメータのこの値は更なるデバイス２００に供給される。伝達パラメータ及び／又は品質パラメータのうちの１つ又は複数の値は、何れかの装置／デバイス／ユーザ／操作者／プロバイダにより、かつ、装置の場所と無関係に設定することができる。オーディオ／ビデオ信号の代わりに、データ信号の第１（第２等）の伝達特性がユーザインタフェースの第１（第２等）の品質特性の選択をもたらし得、ユーザインタフェースの第１（第２等）の品質特性がデータ信号の第１（第２等）の伝達特性の選択をもたらし得るように、例えば、ソフトウェア・プログラム又は情報信号などのデータ信号をデバイスを介してレンダリングすることができる。要約すれば、デバイス１００のユーザインタフェース１２０と、例えば、デバイス１００を介してレンダリングされる対象のオーディオ／ビデオ信号との間の依存性を導入する装置１には、信号の伝達パラメータの値及びユーザインタフェース１２０の品質パラメータの値を結びつけるための回路２、３、４を設けてユーザ・フレンドリ度を高める。オーディオ／ビデオ信号の特定の第１の（第２の）伝達はユーザインタフェース１２０の第１の（第２の）品質をもたらし、ユーザインタフェース１２０の選ばれた第１の（第２の）品質はオーディオ／ビデオ信号の第１の（第２の）伝達をもたらす。品質は、ユーザインタフェース１２０の「スキン」あるいは「ルックアンドフィール」あるいは入力特性あるいは出力特性の品質であり得る。伝達は、帯域幅、分解能、色又はグレイ値の数、サンプル・レート、周波数特性及び処理容量で表すことができる。
【００４１】
図面及び上記明細書において本発明を詳細に例証し、説明したが、前述の例証及び説明は、例証又は例示であり、限定するものでないとみなされる。本発明は、記載した実施例に限定されるものでない。本願記載の実施例に対する他の変形は、図面、明細書及び特許請求の範囲の検討から、特許請求の範囲記載の発明を実施するうえで当業者によって理解され、実施され得る。特許請求の範囲では、「ｃｏｍｐｒｉｓｉｎｇ」の語は他の構成要素又は工程を排除せず、「ａ」又は「ａｎ」の不定冠詞は複数形を排除しない。単一のプロセッサ又は他の装置は、特許請求の範囲記載のいくつかの品目の機能を満たし得る。単に特定の方策が相互に別々の従属請求項に記載されていることは、前述の方策の組合せを使用して効果を得ることが可能でないことを示すものでない。コンピュータ・プログラムを、他のハードウェアとともに供給されるか、又は他のハードウェアの一部として供給されるソリッドステート媒体や光記憶媒体などの適切な媒体上に記憶／配布することができるが、インターネットや他の有線電気通信システムや無線電気通信システムなどの他の形態で配布することもできる。特許請求の範囲における参照符号は、当該範囲を限定するものと解されるべきでない。
【図１】
2010512593.tif 000003
【図２】
2010512593.tif 000004
【図３】
2010512593.tif 000005
【図４】
2010512593.tif 000006
【手続補正書】
【提出日】平成21年6月15日(2009.6.15)
【手続補正１】
【補正対象書類名】特許請求の範囲
【補正対象項目名】全文
【補正方法】変更
【補正の内容】
【特許請求の範囲】
【請求項１】
デバイスのユーザインタフェースと、前記デバイスによって処理される対象の信号との間の依存性を導入する装置であって、前記信号の伝達パラメータの値、及び前記ユーザインタフェースの品質パラメータの値を結び付ける回路を備え、
前記回路は、前記信号の伝達パラメータの値、及び前記ユーザインタフェースの品質パラメータの値のうちの一方を検出する検出器を備え、検出結果に応じて、前記信号の伝達パラメータの値、及び前記ユーザインタフェースの品質パラメータの値のうちの他方を生成する生成器を備える装置。
【請求項２】
請求項１記載の装置であって、前記回路は、前記信号の前記伝達パラメータの値を前記ユーザインタフェースの前記品質パラメータの値に変換する変換器を備える装置。
【請求項３】
請求項１記載の装置であって、前記ユーザインタフェースの前記品質パラメータの値を受け取るポートを更に備え、前記回路は、前記ユーザインタフェースの前記品質パラメータの値を前記信号の前記伝達パラメータの値に変換する変換器を備える装置。
【請求項４】
請求項１記載の装置であって、前記信号の前記伝達パラメータが、前記信号の帯域幅、前記信号の分解能、前記信号内の色の数、前記信号内のグレイ値の数、前記信号のサンプル・レート、前記信号の周波数特性、及び前記信号のコスト・パラメータのうちの少なくとも１つを含み、前記ユーザインタフェースの前記品質パラメータは、前記ユーザインタフェースのユーザインタフェース信号の帯域幅、前記ユーザインタフェース信号の分解能、前記ユーザインタフェース信号内の色の数、前記ユーザインタフェース信号内のグレイ値の数、前記ユーザインタフェース信号のサンプル・レート、前記ユーザインタフェース信号の周波数特性、及び前記ユーザインタフェースに利用可能な処理容量のうちの少なくとも１つを含む装置。
【請求項５】
請求項１記載の装置を備えるデバイス。
【請求項６】
デバイスのユーザインタフェースと、前記デバイスによって処理される対象の信号との間の依存性を導入する方法であって、前記信号の伝達パラメータの値、及び前記ユーザインタフェースの品質パラメータの値を結び付ける工程を含む方法。
【請求項７】
請求項６記載の方法の工程を行うコンピュータ・プログラム・プロダクト。
【請求項８】
請求項７記載のコンピュータ・プログラム・プロダクトを記憶し、前記コンピュータ・プログラム・プロダクトを有する媒体。
【国際調査報告】
2010512593.tif 000007
2010512593.tif 000008